(57)【要約】【課題】ＣＶＴフルードとして、動粘度が低いものを使用し、しかも外輪４ａを剛性の低い変速機ケースに固定する場合でも、転がり軸受３ａの耐久性を確保する。【解決手段】外輪４ａの軸方向中央部で外輪軌道６を設けた部分の最小肉厚をｈとし、各転動体８、８の外径をＤａとした場合に、０．４Ｄａ≦ｈ≦０．８Ｄａとする。この結果、剛性の低い変速機ケースに上記外輪４ａを固定する場合でも、この外輪４ａの肉厚ｈを徒に大きく（厚く）する事なく、この外輪４ａの弾性変形を防止できる。又、この変形に伴ってこの外輪４ａに過大な応力が加わる事を防止でき、上記課題を解決できる。【選択図】　図１
2004052966.tif 000002
【特許請求の範囲】
【請求項１】
内周面に外輪軌道を有する外輪と、外周面に内輪軌道を有する内輪と、これら外輪軌道と内輪軌道との間に転動自在に設けられた複数個の転動体とを備え、上記外輪を固定の部分に内嵌支持し、上記内輪をベルト式無段変速機を構成するプーリと共に回転する部分に外嵌支持して、このプーリを上記固定の部分に回転自在に支持するベルト式無段変速機用転がり軸受に於いて、上記外輪の軸方向中央部で上記外輪軌道を設けた部分の最小肉厚をｈとし、上記各転動体の直径をＤａとした場合に、０．４Ｄａ≦ｈ≦０．８Ｄａを満たす事を特徴とするベルト式無段変速機用転がり軸受。
【発明の詳細な説明】
【０００１】
【発明の属する技術分野】
この発明は、自動車のベルト式無段変速機の回転軸を支持する為の転がり軸受の改良に関する。具体的には、ＣＶＴフルード（ＡＴＦ兼用油を含む）として低粘度のものを用い、しかも、剛性の低い変速機ケースに組み込んだ場合でも、十分な耐久性を確保できる構造を実現するものである。
【０００２】
【従来の技術】
自動車用の自動変速機用の変速ユニットとしてベルト式無段変速機が、例えば実公平８−３０５２６号公報等に記載されている様に、従来から各種考えられ、その一部は実際に使用されている。図２は、この様なベルト式無段変速機の基本構造を略示している。このベルト式無段変速機は、互いに平行に配置された入力側回転軸１と出力側回転軸２とを有する。これら各回転軸１、２は、特許請求の範囲に記載した固定の部分である、図示しない変速機ケースの内側に、それぞれ１対ずつの転がり軸受３、３により、回転自在に支持している。
【０００３】
これら各転がり軸受３、３はそれぞれ、図３に詳示する様に、互いに同心に設けられた外輪４と内輪５とを有する。このうちの外輪４は、内周面に外輪軌道６を、内輪５は外周面に内輪軌道７を、それぞれ有する。そして、これら外輪軌道６と内輪軌道７との間に複数の転動体８、８を、保持器９により保持した状態で、転動自在に設けている。それぞれがこの様に構成される、上記各転がり軸受３、３は、それぞれの外輪４を上記変速機ケースの一部に内嵌固定し、それぞれの内輪５を上記入力側回転軸１又は上記出力側回転軸２に外嵌固定している。そして、この構成により、これら両回転軸１、２を上記変速機ケースの内側に、回転自在に支持している。尚、上記各転がり軸受３、３として従来は、外輪４、内輪５、各転動体８、８を、一般的な軸受鋼２種（ＳＵＪ２）により造ったものを使用していた。
【０００４】
上記両回転軸１、２のうちの入力側回転軸１は、エンジン等の駆動源１０により、トルクコンバータ或は電磁クラッチ等の発進クラッチ１１を介して回転駆動される。又、上記入力側回転軸１の中間部で１対の転がり軸受３、３の間に位置する部分に駆動側プーリ１２を設け、この駆動側プーリ１２と上記入力側回転軸１とが同期して回転する様にしている。この駆動側プーリ１２を構成する１対の駆動側プーリ板１３ａ、１３ｂ同士の間隔は、駆動側アクチュエータ１４で一方（図２の左方）の駆動側プーリ板１３ａを軸方向に変位させる事により調節自在である。即ち、上記駆動側プーリ１２の溝幅は、上記駆動側アクチュエータ１４により拡縮自在である。
【０００５】
一方、上記出力側回転軸２の中間部で１対の転がり軸受３、３の間に位置する部分に従動側プーリ１５を設け、この従動側プーリ１５と上記出力側回転軸２とが同期して回転する様にしている。この従動側プーリ１５を構成する１対の従動側プーリ板１６ａ、１６ｂ同士の間隔は、従動側アクチュエータ１７で一方（図２の右方）の従動側プーリ板１６ａを軸方向に変位させる事により調節自在である。即ち、上記従動側プーリ１５の溝幅は、上記従動側アクチュエータ１７により拡縮自在である。そして、この従動側プーリ１５と上記駆動側プーリ１２とに、無端ベルト１８を掛け渡している。この無端ベルト１８としては、金属製のものを使用している。
【０００６】
上述の様に構成するベルト式無段変速機では、前記駆動源１０から上記発進クラッチ１１を介して上記入力側回転軸１に伝達された動力は、上記駆動側プーリ１２から上記無端ベルト１８を介して、上記従動側プーリ１５に伝達される。尚、この無端ベルト１８として従来から、押し付け方向に動力を伝達するものと、引っ張り方向に動力を伝達するものとが知られている。何れにしても、上記従動側プーリ１５に伝達された動力は、上記出力側回転軸２から減速歯車列１９、デファレンシャルギヤ２０を介して駆動輪２１、２１に伝達される。上記入力側回転軸１と出力側回転軸２との間の変速比を変える場合には、上記両プーリ１２、１５の溝幅を互いに関連させつつ拡縮する。
【０００７】
例えば、上記入力側回転軸１と出力側回転軸２との間の減速比を大きくする場合には、上記駆動側プーリ１２の溝幅を大きくすると共に、上記従動側プーリ１５の溝幅を小さくする。この結果、上記無端ベルト１８の一部でこれら両プーリ１２、１５に掛け渡された部分の径が、上記駆動側プーリ１２部分で小さく、上記従動側プーリ１５部分で大きくなり、上記入力側回転軸１と出力側回転軸２との間で減速が行なわれる。反対に上記入力側回転軸１と出力側回転軸２との間の増速比を大きく（減速比を小さく）する場合には、上記駆動側プーリ１２の溝幅を小さくすると共に、上記従動側プーリ１５の溝幅を大きくする。この結果、上記無端ベルト１８の一部でこれら両プーリ１２、１５に掛け渡された部分の径が、上記駆動側プーリ１２部分で大きく、上記従動側プーリ１５部分で小さくなり、上記入力側回転軸１と出力側回転軸２との間で増速が行なわれる。
【０００８】
上述の様に構成され作用するベルト式無段変速機の運転時には、各可動部に潤滑油を供給して、これら各可動部を潤滑する。ベルト式無段変速機の場合に使用する潤滑油としては、ＣＶＴフルード（ＡＴＦ兼用油を含む）を使用している。この理由は、金属製の無端ベルト１８と駆動側、従動側両プーリ１２、１５との摩擦係合部の摩擦係数を増大し、且つ、安定させる為である。そして、上記ＣＶＴフルードを３００ｃｃ／ｍｉｎ　以上の流量で上記摩擦部に循環させ、この摩擦部を潤滑している。又、上記ＣＶＴフルードの一部は、前記各転がり軸受３、３の内部を（例えば２０ｃｃ／ｍｉｎ　以上の流量で）通過して、これら各転がり軸受３、３の転がり接触部を潤滑する。従って、これら各転がり軸受３、３の内部に、上記無端ベルト１８と上記両プーリ１２、１５との摩擦に伴って発生する摩耗紛や、前記減速歯車列１９部分での摩擦に伴って発生したギア紛等の異物が、ＣＶＴフルードに混入した状態で入り込む可能性が高い。この様な異物は、上記各転がり軸受３、３の転がり接触部を損傷して、その耐久性を低下させる原因となる。
【０００９】
この為従来は、上記各転がり軸受３、３の軸受サイズを大きくしたり、或は各転動体８、８の直径Ｄａを大きくする等により、上記各転がり軸受３、３の基本動定格荷重を大きくし、これら各転がり軸受３、３の寿命に余裕を持たせていた。ところが、この様に基本動定格荷重を確保すべく上記各転動体８、８の直径Ｄａを大きくすると、上記ベルト式無段変速機の小型軽量化を図る為には、前記外輪４の肉厚Ｔを小さく（薄く）する必要がある。しかも、この外輪４を固定する前記変速機ケースの剛性が低い場合に、この様に外輪４の肉厚Ｔを小さくすると、この外輪４が弾性変形し易くなると共に、この変形に伴ってこの外輪４に過大な曲げ応力が加わり、上記各転がり軸受３、３の寿命が低下する可能性がある。
【００１０】
例えば、社団法人日本トライボロジー学会のトライボロジー会議予定稿集（盛岡　１９９２−１０）Ｅ−３３の７９３〜７９６頁には、軌道輪に７０ＭＰａの曲げ応力を付与した状態で転がり軸受を運転した場合に、この転がり軸受の寿命が曲げ応力を付与しない場合に比べて１／４〜１／５に低下する事が記載されている。又、この様な寿命の低下を防止する為に、残留圧縮応力を付与した材料により上記軌道輪を造る事が有効である事が記載されている。ところが、この様な残留圧縮応力を付与した材料を用いるには、上記軌道輪に浸炭鋼を採用すると共に、この軌道輪の軌道面にショットピーニング等の機械加工を施す必要があり、コストが嵩む可能性がある。
【００１１】
【発明が解決しようとする課題】
近年、ベルト式無段変速機の効率を確保し、運転時に発生する騒音を少なく抑えると共に、駆動側、従動側両プーリ１２、１５や無端ベルト１８の摩耗を抑える事を目的に、ＣＶＴフルードとしてより粘度の低いものを使用する事が考えられている。この様な場合に、入力側、出力側各回転軸１、２を支持する為の転がり軸受３、３として標準的なものを使用すると、早期剥離が発生する可能性が大きくなると考えられる。即ち、ベルト変動に伴うラジアル方向及びアキシアル方向の振動の働きにより、外輪４及び内輪５が弾性変形し易くなると共に、これら外輪４及び内輪５に過大な曲げ応力が加わる。そして、この様な変形及び過大な曲げ応力に伴って、外輪軌道６及び内輪軌道７と転動体８、８の転動面との転がり接触部で滑りに基づく金属接触が発生し易くなり、この様な金属接触によりこれら外輪軌道６、内輪軌道７、転動体８、８の転動面で早期剥離が発生する可能性が大きくなる。
【００１２】
即ち、ベルト式無段変速機の運転時に上記転がり軸受３の温度は１００℃を超える場合があり、この転がり軸受３の内部に入り込んでこの転がり軸受３の転がり接触部を潤滑するＣＶＴフルードの動粘度は、１０ｍｍ２　／ｓｅｃ　以下の、相当に低い値となる。又、上記転がり接触部に供給されるＣＶＴフルードの量が不足する傾向となる可能性もある。しかも、固定の部分である変速機ケースの剛性が小さい場合には、この変速機ケースに固定した外輪４が弾性変形し易くなり、この変形に伴って、上記転がり接触部で転動体８、８の差動、公転、スピンに基づく滑りが発生し易くなる。この結果、上述の様なＣＶＴフルードの不足と相まって、上記転がり接触部で油膜切れが起こり易くなる。そして、この様な油膜切れが起こった場合には、上記外輪軌道６や転動体８、８の転動面が活性化された状態となり、例えば水素侵入による水素脆性剥離や金属接触に伴う表面疲労が促進し、早期剥離が発生する可能性が大きくなる。
【００１３】
一方、ヘルツの弾性接触論によれば、転がり接触下での最大剪断応力は、軌道面からの深さが凡そ転動体の直径の２％の位置で発生すると計算されている。この場合に、最大剪断応力の発生する軌道輪の肉厚は、半無限大として計算されている。これに対して、標準的ＪＩＳ名番の転がり軸受の場合、軌道輪の肉厚を、最大剪断応力の発生位置の１０倍程度、即ち転動体８、８の直径の２０％程度とする傾向にある。この理由は、軌道輪を剛性の高い部分に固定する場合は、この軌道輪の肉厚が転動体の直径の２０％程度あれば、この軌道輪の肉厚を半無限大として考える上記ヘルツの弾性接触論が成り立ち、しかも、実験的に十分な耐久性を確保できると考えられている為である。従って、ベルト式無段変速機に組み込む転がり軸受３の場合、変速機ケースの剛性が低いと、この転がり軸受３の耐久性を確保すべく、この変速機ケースに固定する外輪４の肉厚を大きく（厚く）する必要がある。ところが、この様に外輪４の肉厚をただ単に大きくしただけでは、大型化に伴う重量増大や転がり抵抗の増大を徒に招く為、好ましくない。
【００１４】
尚、特開平１０−３７９５１号公報には、内輪の肉厚に比べて外輪の肉厚を大きくする事により、工作機械用の転がり軸受の許容高速性能の向上を図る発明が記載されている。即ち、各転動体をセラミックス製とする事により、固定側軌道輪である外輪に加わる遠心力の低減を図り、更に、回転側軌道輪である内輪に生じる遠心力の低減を図るべく、この内輪の肉厚を２．５〜４．０ｍｍとし、且つ、この内輪の肉厚を上記外輪の肉厚の２．０〜２．７５倍とする構造が記載されている。但し、この構造で外輪の肉厚を内輪の肉厚よりも大きくする理由は、あくまでも内輪の肉厚を小さくする事による遠心力の低減が目的であり、剛性の低い部分に固定する外輪の弾性変形を防止する為のものではない。しかも、上記各転動体をセラミックス製のものとする為、材料コストや加工コストが嵩む事が避けられない。更には、外輪の肉厚が過大である為、後述する様に、転動体の転動面を損傷し易い。
本発明は、この様な事情に鑑みて、粘性の低いＣＶＴフルードを使用し、しかも、アルミニウム合金製の様に、剛性の低い変速機ケースに外輪を固定する場合でも、転がり接触部を構成する外輪軌道６、内輪軌道７、転動体８、８の転動面に、早期剥離等の損傷が発生しにくいベルト式無段変速機用転がり軸受を実現すべく発明したものである。
【００１５】
【課題を解決するための手段】
本発明のベルト式無段変速機用転がり軸受は、外輪と、内輪と、複数個の転動体とを備える。
このうちの外輪は、内周面に外輪軌道を有する。
又、上記内輪は、外周面に内輪軌道を有する。
又、上記各転動体は、上記外輪軌道と内輪軌道との間に転動自在に設けられている。
そして、上記外輪を変速機ケース等の固定の部分に内嵌支持し、上記内輪を、入力側、出力側各回転軸の端部又は中間部等、ベルト式無段変速機を構成するプーリと共に回転する部分に外嵌支持して、このプーリを上記固定の部分に回転自在に支持する。
【００１６】
特に、本発明のベルト式無段変速機用転がり軸受に於いては、上記外輪の軸方向中央部で上記外輪軌道を設けた部分の最小肉厚（径方向に関する厚さ）をｈとし、上記各転動体の直径をＤａとした場合に、０．４Ｄａ≦ｈ≦０．８Ｄａ、より好ましくは０．４Ｄａ≦ｈ≦０．６Ｄａを満たす。
【００１７】
【作用】
上述の様に構成する本発明のベルト式無段変速機用転がり軸受の場合には、粘度の低いＣＶＴフルードを使用し、しかも、剛性の低い変速機ケースに組み込む場合でも、剥離寿命を十分に確保する事が可能になる。
即ち、例えばアルミニウム合金製の様に、剛性の低い変速機ケースに外輪を固定する場合でも、この外輪の肉厚を徒に大きく（厚く）する事なく、この外輪が弾性変形したり、この変形に伴ってこの外輪に過大な応力が加わる事を防止できる。この為、粘度の低いＣＶＴフルードを使用する事や、転がり軸受の内部に潤滑油を多量に（例えば２０ｃｃ／ｍｉｎ　を大きく上回る程）流通させない事により、外輪軌道及び内輪軌道と各転動体の転動面との転がり接触部に介在させる油膜の強度を確保しにくい場合でも、この転がり接触部で金属接触の発生を防止して、剥離寿命を十分に確保する事が可能になる。従って、必要とする耐久性を確保する為に、上記転がり軸受を大型化する必要がなくなり、入力側回転軸及び出力側回転軸の回転支持部を小型且つ軽量に構成できると共に、回転抵抗の低減を図れる。この結果、ベルト式無段変速機の小型・軽量化及び伝達効率の向上を図れる。
【００１８】
【発明の実施の形態】
図１は、本発明の実施の形態の１例を示している。尚、本発明の特徴は、ベルト式無段変速装置用の入力側、出力側両回転軸１、２（図２参照）を支持する為の転がり軸受３ａの構造を工夫し、変速機ケースの剛性が低い場合でも、この転がり軸受３ａの耐久性を十分に確保する点にある。その他の部分の構造及び作用は、前述の図３に示した構造を含めて、従来から知られているベルト式無段変速機用転がり軸受と同様であるので、同等部分には同一符号を付して、重複する説明を省略若しくは簡略にし、以下、本発明の特徴部分を中心に説明する。
【００１９】
本例の場合は、外輪４ａの軸方向中央部で外輪軌道６を設けた部分の（径方向に関する）最小肉厚をｈとし、各転動体８、８の直径をＤａとした場合に、０．４Ｄａ≦ｈ≦０．８Ｄａ、より好ましくは０．４Ｄａ≦ｈ≦０．６Ｄａを満たす様に、上記外輪４ａの寸法を規制している。又、上記外輪４ａ及び内輪５の軸方向に関する幅Ｗを、１．２Ｄａ≦Ｗ≦２．５Ｄａを満たす範囲に規制している。この様な本例の転がり軸受３ａの場合には、粘度の低いＣＶＴフルードを使用し、しかも、剛性の低い変速機ケースに組み込む場合でも、剥離寿命を十分に確保する事が可能になる。
【００２０】
即ち、アルミニウム合金の如く、軽量ではあるが剛性の低い変速機ケースに上記外輪４ａを固定する場合でも、この外輪４ａの肉厚ｈを徒に大きく（厚く）する事なく、この外輪４ａが弾性変形したり、この変形に伴ってこの外輪４ａに過大な応力が加わる事を防止できる。この為、粘度の低いＣＶＴフルードを使用したり、上記転がり軸受３ａの内部に潤滑油を多量に（例えば２０ｃｃ／ｍｉｎ　を大きく上回る程）流通させない事で、外輪軌道６及び内輪軌道７と各転動体８、８の転動面との転がり接触部に介在させる油膜の強度を確保しにくい場合でも、この転がり接触部で金属接触が発生する事を防止して、剥離寿命を十分に確保する事が可能になる。従って、必要とする耐久性を確保する為に、上記転がり軸受３ａを大型化する必要がなくなり、入力側回転軸１及び出力側回転軸２の回転支持部を小型且つ軽量に構成できると共に、回転抵抗の低減を図れる。この結果、ベルト式無段変速機の小型・軽量化及び伝達効率の向上を図れる。
【００２１】
尚、上記外輪４ａの最小肉厚ｈが０．８Ｄａを超える場合には、上記転がり軸受３ａに転動体８、８を組み込みにくくなる。即ち、この転がり軸受３ａを自動組立装置で組み立てる場合、通常最後に組み込む転動体８は、上記外輪４ａを弾性変形させた状態で組み込む。この為、上記最小肉厚ｈが０．８Ｄａを超える場合には、上記外輪４ａを弾性変形させる為に必要な荷重が大きくなり、上記外輪４ａや転動体８、８に損傷が生じ易くなったり、自動組立装置で組み立てる事ができなくなる可能性がある。一方、上記最小肉厚ｈが０．４Ｄａよりも小さい場合には、上記外輪４ａを固定する変速機ケースの剛性が低い場合に、この外輪４ａが弾性変形し易くなって、上記外輪軌道６や内輪軌道７、各転動体８、８の転動面に早期剥離が生じる可能性がある。
【００２２】
又、上記外輪４ａ及び内輪５の軸方向に関する幅Ｗは、これら外輪４ａ及び内輪５の弾性変形を防止する点からは、大きいほど好ましい。ところが、上記幅Ｗを大きくすると、これら外輪４ａ及び内輪５の質量も大きくなる。即ち、上記幅Ｗが２．５Ｄａを超える場合には、上記外輪４ａ及び内輪５の質量が大きくなり過ぎて、ベルト式無段変速機の伝達効率が低下する可能性がある。一方、上記幅Ｗが１．２Ｄａよりも小さい場合には、上記外輪４ａ及び内輪５の剛性が低下して、これら外輪４ａ及び内輪５が弾性変形し易くなる可能性がある。従って、上記幅Ｗは、１．２Ｄａ以上で２．５Ｄａ以下の範囲に収める事が好ましい。
【００２３】
又、本例の場合、上記外輪４の内周面と内輪５の外周面との間で複数の転動体８、８を設置した部分の両端開口部に、シール部材を設けていない。但し、駆動側、従動側各プーリ１２、１５や無端ベルト１８（図２参照）の摩耗紛等、異物が多く侵入する可能性が大きい場合は、転がり軸受の軸方向寸法が許す限り、上記シール部材を設ける事が好ましい。この様なシール部材としては、ＴＭシールの他、金属板製で非接触型のもの、接触型或は非接触型のニトリルシールやアクリルシール又はフッ素シール等を、使用温度を勘案して選択使用できる。
【００２４】
又、上記各転動体８、８を転動自在に保持する保持器９の構造及び材質に関しては、特に限定しないが、使用時の回転速度が特に早い場合には、合成樹脂製の冠型保持器を使用する事が、保持器と転動体との間の摩擦を低減すると共に、硬い摩耗粉の発生を抑えて長寿命化を図る面からは好ましい。これに対して、大きな変動荷重が作用する為、保持器切れ（破断）の発生が考えられる様な場合には、金属製の波形保持器を使用する事が好ましい。
【００２５】
更に、本例の場合、転がり軸受３ａを構成する外輪４ａ、内輪５、転動体８、８を、それぞれ残留オーステナイト量γＲ　が５〜１５容量％である軸受鋼２種（ＳＵＪ２）により構成している。但し、ベルト式無段変速機内部に存在し、ＣＶＴフルードに混入して上記転がり軸受３ａの転動体８、８の設置空間を通過する異物の量が多い場合には、外輪４ａ、内輪５、転動体８、８を構成する鋼材を浸炭処理若しくは浸炭窒化処理する事が好ましい。この様な処理により、上記外輪４ａ、内輪５、転動体８、８の表面の残留オーステナイト量を２０〜４５容量％とすると共に、この表面の硬度をＨＲ　Ｃ６２〜６７程度にすれば、上記異物によるこの表面の損傷を防止して、上記転がり軸受３ａの耐久性向上を図れる。更に、この転がり軸受３ａの使用温度が１５０℃以上に達する場合には、上記外輪４ａ、内輪５、転動体８、８に、残留オーステナイト量を０〜５％程度に抑える、寸法安定化処理を施す事が好ましい。この場合に、前記シール部材として、耐熱性ゴムを備えたものを使用する事も好ましい。
【００２６】
又、本例の場合、上記転がり軸受３ａの内部隙間を普通隙間とし、外輪軌道６及び内輪軌道７の断面形状の曲率半径を、何れも各転動体８、８の直径の０．５２倍（０．５２Ｄａ）としている。但し、上記内部隙間並びに上記各軌道６、７の断面形状の曲率半径を適正に規制して（小さく抑えて、例えば少なくとも内輪軌道７の曲率半径を０．５１Ｄａとして）、ラジアル方向のがたつき及びアキシアル方向のがたつきを抑制したり、上記各転動体８、８の転動面と外輪軌道６及び内輪軌道７との接触圧を均一にすれば、耐久性を中心とする性能を更に向上させる事も可能になる。又、転がり軸受３ａが、図示の様な単列深溝型玉軸受の場合に限らず、アンギュラ型等の他の型式の玉軸受、更には円筒ころ軸受や円すいころ軸受、ニードル軸受等、他の軸受の場合でも、同様の作用・効果を得られる。
【００２７】
【実施例】
次に、本発明の効果を確認する為に行なった実験に就いて説明する。実験では、次の表１に示す様な、外輪４ａの最小肉厚ｈを転動体（玉）８、８の直径Ｄａの０．４〜０．８倍とした何れも本発明の技術的範囲に属する１０種類の試料（実施例１〜１０）と、本発明の技術的範囲からは外れる４種類の試料（比較例１〜４）との、合計１４種類の試料に就いて、それぞれの耐久性を測定した。尚、これら各試料は、ＪＩＳ名番６２０９（内径ｄ＝４５ｍｍ、外径Ｄ＝８５ｍｍ、幅Ｗ＝１９ｍｍ、玉径Ｄａ＝１１．９０６ｍｍ）、及び、ＪＩＳ名番６３１０（内径ｄ＝５０ｍｍ、外径Ｄ＝１１０ｍｍ、幅Ｗ＝２７ｍｍ、玉径Ｄａ＝１１．９０６ｍｍ）の玉軸受を基（ベース）にし、それぞれの外輪の外径及び各玉の直径を変える事により、下記の表１に記載した寸法に調整した。
【００２８】
【表１】
2004052966.tif 000003
【００２９】
そして、上記表１に記載した寸法の各転がり軸受３、３ａを、図２に示す様なベルト式無段変速機に組み込んで、入力側回転軸１を変速機ケースに対し回転自在に支持する為に利用した。転がり接触部を構成する各面の粗さは、通常の転がり軸受と同様に、算術平均粗さＲａで０．０１〜０．０３μｍとした。又、軸受材料は、標準の軸受鋼２種（ＳＵＪ２、硬度＝ＨＲ　Ｃ６０〜６５）とした。更に、保持器９は、鉄製の波型プレス保持器を使用した。又、各転動体（玉）８、８は、ＳＵＪ２をずぶ焼き入れ、焼き戻しした後、研削仕上げをしたものとした。
【００３０】
そして、次述する条件下で、目標時間を５００時間とする耐久試験を行ない、試験後に転がり軸受３、３ａを分解して、当該転がり軸受３、３ａの構成部品の破損の有無の確認すると共に、Ｌ１０寿命（定格疲れ寿命）を求めた。尚、今回行なった実験では、入力側回転軸１の回転支持部分に組み込む転がり軸受３、３（３ａ、３ａ）の耐久性を求める為、出力側回転軸２の回転支持部に組み込んだ転がり軸受３、３に関しては、十分な量（２００ｃｃ／ｍｉｎ　）の潤滑油（ＣＶＴフルード）を供給した。そして、試験対象外の転がり軸受３、３に、試験対象の転がり軸受３、３（３ａ、３ａ）よりも前に損傷が発生しない様にした。
試験条件は次の通りである。
【００３１】
試験装置　：　図２に示したベルト式無段変速機
試料個数　：　各試料毎に５個
判定方法　：　５００時間運転後に分解。但し、途中で振動値が急上昇した場合にはその時点で打ち切り後、分解。
エンジンから入力側回転軸１への入力トルク　：　２５０Ｎ・ｍ（ＪＩＳ名番６２０９及び６２０９ベースの軸受）、５００Ｎ・ｍ（ＪＩＳ名番６３１０及び６３１０ベースの軸受）
入力側回転軸１の回転速度　：　６０００ｍｉｎ−１
潤滑油　：　ＣＶＴフルード｛４０℃での動粘度＝３５ｍｍ２／ｓｅｃ　＝３５×１０−６ｍ２／ｓ　（３５ｃＳｔ　）、１００℃での粘度＝７ｍｍ２／ｓｅｃ　＝７×１０−６ｍ２／ｓ　（７ｃＳｔ　）｝
潤滑油流量　：　１０ｃｃ／ｍｉｎ
軸受温度　：　１２０℃
尚、それぞれの転がり軸受ごとに、エンジントルクと転がり軸受の基本動定格荷重との比をほぼ同じにした。
【００３２】
上述の様な条件で行なった実験の結果から、次の事が分かる。
先ず、本発明の技術的範囲に属する実施例１〜１０に関しては、何れも目標時間である５００時間に達するまで転がり軸受３ａが損傷する事なく、運転を継続できた。又、このうちの実施例１〜３及び実施例６〜９に関しては、試験後に軌道面を確認したところ、研磨目が残っており、潤滑状態が良好であった。又、外輪４ａの外周面にクリープに基づく損傷も認められなかった。
【００３３】
一方、実施例４、５、１０に関しては、転動体（玉）８、８に傷が見受けられた。この様な損傷は、外輪４ａの肉厚ｈが十分に大きい事により、上記転動体（玉）８、８を転がり軸受３ａに組み込む際に、上記外輪４ａが弾性変形しにくくなって生じたと考えられる。従って、この様な転がり軸受３ａの組立時に上記転動体８、８に傷を付きにくくすべく、上記外輪の肉厚ｈを０．４Ｄａ〜０．６Ｄａ（０．４Ｄａ≦ｈ≦０．６Ｄａ）とする事がより好ましい事が分かる。
【００３４】
又、本発明の技術的範囲からは外れる比較例１〜４に関しては、何れの場合も、早期に（８４〜１２５時間経過した時点で）転がり接触部分に剥離を生じ、著しい振動を発生した。又、このうちの比較例１、３に関しては、軌道面を確認したところ、研磨目の一部が残っておらず、局所的な金属接触（メタルコンタクト）が生じていたと考えられる。又、外輪４の外周面にクリープに基づく損傷が認められ、このクリープに基づいて外輪負荷圏で転動体８、８の滑りが生じていたと考えられる。又、比較例２に関しては、外輪４の肉厚ｈが０．８４Ｄａと大き過ぎる為、転がり軸受３に転動体（玉）８、８を組み込む際に生じた損傷を起点として、早期に剥離が発生したと考えられる。又、比較例４に関しては、外輪４の肉厚ｈが０．３１Ｄａと小さ過ぎる為、比較例１、３と同様に、外輪４の弾性変形に伴う転がり接触部での金属接触に基づく損傷が、外輪軌道６に認められた。
【００３５】
【発明の効果】
本発明のベルト式無段変速機用転がり軸受は、以上に述べた通り構成され作用するので、粘性の低いＣＶＴフルードを使用し、しかも外輪を剛性の低い変速機ケースに固定した場合でも、十分な耐久性を得られる。この為、耐久性を確保しつつ、ベルト式無段変速機の効率を向上させる事が可能になる。
【図面の簡単な説明】
【図１】本発明の実施の形態の１例を示す、図３と同様の断面図。
【図２】本発明の対象となる転がり軸受を備えたベルト式無段変速機を組み込んだ車両の駆動系の略断面図。
【図３】転がり軸受を取り出して示す拡大断面図。
【符号の説明】
１　　入力側回転軸
２　　出力側回転軸
３、３ａ　転がり軸受
４、４ａ　外輪
５　　内輪
６　　外輪軌道
７　　内輪軌道
８　　転動体
９　　保持器
１０　　駆動源
１１　　発進クラッチ
１２　　駆動側プーリ
１３ａ、１３ｂ　駆動側プーリ板
１４　　駆動側アクチュエータ
１５　　従動側プーリ
１６ａ、１６ｂ　従動側プーリ板
１７　　従動側アクチュエータ
１８　　無端ベルト
１９　　減速歯車列
２０　　デファレンシャルギヤ
２１　　駆動輪
【図１】
2004052966.tif 000004
【図２】
2004052966.tif 000005
【図３】
2004052966.tif 000006